(57)【要約】      （修正有）【課題】二重のロック解除メカニズムを有する複合ロックアセンブリ構造を提供する。【解決手段】本体１０、圧力シリンダアクチュエーター２０、ドアラッチ３０、および、機械的ロックを有する複合ロックアセンブリ構造であって、本体１０の正面はフレーム構造を有する。圧力シリンダアクチュエーター２０とドアラッチ３０が設置されると共に、本体１０背面で露出し、且つ、圧力シリンダアクチュエーター２０とドアラッチ３０は、互いに連動関係を有する。機械的ロック４０は、本体正面のフレーム構造中に設置されて、ドアラッチ作動を制限する。【選択図】図５Ｂ
0003205567.tif 000002
【実用新案登録請求の範囲】
【請求項１】
複合ロックアセンブリ構造であって、
正面がフレーム構造を有する本体と、
前記本体背面に設置されると共に、前記本体背面で露出する圧力シリンダアクチュエーターと、
前記本体背面に設置され、前記本体背面で露出すると共に、前記圧力シリンダアクチュエーターと連動関係を有するドアラッチ、および、
前記本体正面の前記フレーム構造中に設置されて、前記ドアラッチの作動を制御、および、制限する機械的ロックと、
を有することを特徴とする複合ロックアセンブリ構造。
【請求項２】
前記機械的ロックは更に、
シリンダーと、
バッフルと、
前記フレーム構造の底部に設置される第一弾性素子、および、
ドアノブと、を有し、前記シリンダーがキーにより、前記バッフルの阻止功能が制御、または、解除され、前記ドアノブが前記第一弾性素子と連動し、前記第一弾性素子が、前記ドアノブを所定位置に回復させ、前記バッフルは前記ドアノブの作動を制御し、前記バッフルが阻止功能を解除されるとき、前記ドアノブが開くと、前記ドアラッチを連動して作動させることを特徴とする請求項１に記載の複合ロックアセンブリ構造。
【請求項３】
前記主体の前記フレーム構造の底部は、少なくとも、開口を設置して、前記ドアノブと前記ドアラッチを作動させることを特徴とする請求項２に記載の複合ロックアセンブリ構造。
【請求項４】
前記圧力シリンダアクチュエーターは、気圧式、または、液圧式アクチュエーターであることを特徴とする請求項１から３いずれかの一項に記載の複合ロックアセンブリ構造。
【請求項５】
前記圧力シリンダアクチュエーターは、更に、連動ユニットを有して、前記ドアラッチと連結して連動することを特徴とする請求項１から４いずれかの一項に記載の複合ロックアセンブリ構造。
【請求項６】
前記ドアラッチは更に、舌片と舌片連接素子を有することを特徴とする請求項１から５いずれかの一項に記載の複合ロックアセンブリ構造。
【請求項７】
前記舌片と前記舌片連接素子は、少なくともひとつのねじユニットにより連接されるか、または、一体成型されることを特徴とする請求項６に記載の複合ロックアセンブリ構造。
【請求項８】
前記連動ユニットは、前記舌片連接素子と連結されることを特徴とする請求項６に記載の複合ロックアセンブリ構造。
【請求項９】
前記連動ユニットと前記舌片連接素子は、少なくともひとつのねじユニットにより連接されることを特徴とする請求項８に記載の複合ロックアセンブリ構造。
【請求項１０】
前記ドアノブは、更に、ドアノブ連接素子を有して、前記ドアノブを前記主体上に設置することを特徴とする請求項１から９いずれかの一項に記載の複合ロックアセンブリ構造。
【請求項１１】
更に、前記圧力シリンダアクチュエーターと前記ドアラッチ間に設置される第二弾性素子を有して、前記ドアラッチを鎖定位置に推動することを特徴とする請求項１から１０いずれかの一項に記載の複合ロックアセンブリ構造。
【考案の詳細な説明】
【技術分野】
【０００１】
本考案は、ロックアセンブリ構造に関するものであって、特に、バルブボックス、ガスキャビネットや大型の門に応用でき、メンテナンスが便利で、且つ、二重のロック解除メカニズムを有する複合ロックアセンブリ構造に関するものである。
【背景技術】
【０００２】
科学技術の発展に伴い、電子ロックアセンブリも幅広く受け入れられ、応用されている。現在、多くのロックアセンブリは、電子化されたモーターアクチュエーター、センサー、コントローラー等の素子により作動する。しかし、特殊な気体（可燃、易燃や助燃）管路を管理するバルブボックスロックアセンブリ、または、これらの特殊な気体環境中で露出する電子化ロックアセンブリにとって、モーターアクチュエーターを運用するロックアセンブリは作動過程において火花が生成されやすく、起爆や火災のリスクが高まる。
【０００３】
よって、モーターアクチュエーターに代わり、液圧式、または、気圧式のアクチュエータユニットを使用するロックアセンブリが生成された。しかし、一般の液圧式、または、気圧式のアクチュエータユニットは、多くが、ロックアセンブリ構造内部に設置されており、一旦、アクチュエータユニットが損壊すれば、メンテナンスのために、ロックアセンブリを丸ごと取り外さなければならない。また、電子ロックアセンブリが故障したとき、往々にして、ロックアセンブリ全体を失効させ、ロックアセンブリの開閉ができなくなり、直ちに取り外さないと、特殊な環境、たとえば、危険な気体を保存するガスキャビネットで使用する時、取り外し時に生成される火花やガスキャビネットの気体漏れなど、危険リスクが非常に高い。
【０００４】
よって、本考案は、新規の複合ロックアセンブリ構造を提供して、この重要な問題を解決する。
【考案の概要】
【考案が解決しようとする課題】
【０００５】
上述の問題を解決するため、本考案は、複合ロックアセンブリ構造を提供し、メンテナンスが便利で、且つ、圧力シリンダロック解除、および、手動ロック解除機能を有する複合ロックアセンブリ構造を提供することを目的とする。
【課題を解決するための手段】
【０００６】
上述の目的を達成するため、本考案の一実施例による複合ロックアセンブリ構造は、正面に、フレーム構造を有する本体と、本体背面に設置されると共に、本体背面で露出する圧力シリンダアクチュエーターと、本体背面に設置されて、本体背面で露出すると共に、圧力シリンダアクチュエータと連動関係を有するドアラッチ、および、本体正面のフレーム構造中に設置されて、ドアラッチの作動を制御、および、制限する機械的ロックと、を有する。
【０００７】
好ましくは、機械的ロックは、さらに、シリンダーと、キーにより、バッフルの阻止功能が制御、または、解除されるバッフルと、フレーム構造の底部に設置される第一弾性素子、および、第一弾性素子と連動するドアノブと、を有し、第一弾性素子は、ドアノブを所定位置に回復させ、バッフルは、ドアノブの作動を制限し、バッフルの阻止功能が解除するとき、ドアノブが開くと、ドアラッチを連動して、作動させる。
【０００８】
好ましくは、主体のフレーム構造の底部は、少なくとも、開口を設置して、ドアノブとドアラッチを作動させる。
【０００９】
好ましくは、圧力シリンダアクチュエーターは、気圧式、または、液圧式アクチュエーターである。
【００１０】
好ましくは、圧力シリンダアクチュエーターは更に、連動ユニットを有して、ドアラッチと連結して連動する。
【００１１】
好ましくは、ドアラッチは更に、舌片と舌片連接素子を有し、少なくともひとつのねじユニットにより連接される、または、一体成型される。
【００１２】
好ましくは、連動ユニットは舌片連接素子と連接し、且つ、少なくともひとつのねじユニットにより連接される。
【００１３】
好ましくは、ドアノブは更に、ドアノブ連接素子を有して、ドアノブを主体上に設置する。
【００１４】
本考案の目的、技術内容、特徴、および、達成される効果をより理解するために、実施例として、添付図面を参照に用いる。
【考案の効果】
【００１５】
本考案の複合式ロックアセンブリ構造は、メンテナンスが便利で、且つ、圧力シリンダロック解除、および、手動ロック解除機能を有する。
【図面の簡単な説明】
【００１６】
【図１】本考案の一実施例による複合ロックアセンブリ構造の前視図である。
【図２】本考案の一実施例による複合ロックアセンブリ構造の後視図である。
【図３】本考案の一実施例による複合ロックアセンブリ構造の一部の前視図である。
【図４】本考案の一実施例による複合ロックアセンブリ構造の分解図である。
【図５Ａ】本考案の一実施例による複合ロックアセンブリ構造の作動を示す図である。
【図５Ｂ】本考案の一実施例による複合ロックアセンブリ構造の作動を示す図である。
【考案を実施するための形態】
【００１７】
詳細は以下で説明され、好ましい実施例は、非限定的な例示的実施形態であること、並びに、本考案の各種の実施形態の範囲は、特許請求の範囲によってのみ定義されることは、当業者には理解されよう。
【００１８】
本考案は、主に、複合式ロックアセンブリ構造を提供し、新規の構造配置により、安全なメンテナンスと二重制御の効果を達成することができる。以下で、本案の各実施例を詳述すると共に、図面を併せて例示とする。これらの詳細な描写以外に、本考案は、さらに、幅広く、その他の実施例中でも施行でき、任意の実施例の代替、修正、類似の変化も、本考案の範囲内に含まれると共に、実用新案請求の範囲で指定した内容を基準とする。明細書の描写において、本考案を分かりやすくするため、多くの特定の詳細を提供する。しかし、本考案は、省略部分やこれら全部の特定の詳細の前提下でも実施できる。このほか、従来の工程や素子は詳細中で描写されず、本考案の不必要な制限を回避する。図式中の相同、または、類似の素子は、相同、または、類似する符号により表示される。特に注意すべきことは、図式において、素子の実際の尺寸や数量はそれらに限定されず、図を簡潔にするため、相関しない詳細は完全に描かれているわけではない。
【００１９】
図１、図２と図３は、それぞれ、本考案の一実施例による複合ロックアセンブリ構造の前視図、複合ロックアセンブリ構造の後視図、複合ロックアセンブリ構造の一部の前視図である。図に示されるように、本考案の複合ロックアセンブリ構造は、本体１０、圧力シリンダアクチュエーター２０、ドアラッチ３０、および、機械的ロック４０を有する。構造の詳細は以下のようである。
【００２０】
図１と図３を参照すると、本体１０の正面はフレーム構造を有し、機械的ロック４０は、本体１０正面のフレーム構造中に設置される。図１と図２に示されるように、圧力シリンダアクチュエーター２０とドアラッチ３０が本体１０の背面に設置されると共に、本体１０の背面で露出する。圧力シリンダアクチュエーター２０とドアラッチ３０は、互いに連動関係を有する。さらに、本体１０正面のフレーム構造中に設置される機械的ロック４０は、ドアラッチ３０の作動を制御する。
【００２１】
図１、図２と図４を参照すると、本考案の一実施例において、機械的ロック４０は、更に、シリンダー４２、バッフル４３、第一弾性素子４４、および、ドアノブ４６を有する。シリンダー４２は、キー(図示しない)により、バッフル４３の阻止功能を制御、または、解除することができる。第一弾性素子４４は、本体１０フレーム構造の底部に設置される。ドアノブ４６は、第一弾性素子４４と連動し、たとえば、使用者がドアノブ４６を引かない時、ドアノブ４６は、第一弾性素子４４に推動されて、所定位置に回復する。バッフル４３は、ドアノブ４６の作動を制限する。キーがシリンダー４２に挿入されて、バッフル４３を阻止功能を解除させて、ドアノブ４６を開くとき、ドアラッチ３０を連動して、ロック解除作動を実行する。
【００２２】
図３に示されるように、本考案の一実施例において、少なくともひとつの開口１２が、主体１０フレーム構造の底部に設置されて、ドアノブ４６とドアラッチ３０を作動させる。一実施例において、ドアノブ４６は、更に、ドアノブ連接素子４７を有し、ドアノブ４６を主体１０上に設置する。ドアノブ連接素子４７は、ドアノブ４６開閉時の回転軸となる。
【００２３】
引き続き、図２を参照すると、一実施例において、圧力シリンダアクチュエーター２０は、気圧式、または、液圧式アクチュエーター、たとえば、気圧シリンダ、または、液圧シリンダである。もうひとつの実施例において、圧力シリンダアクチュエーター２０は、更に、連動ユニット２２を有して、ドアラッチ３０と連結して連動する。一実施例において、本考案の複合ロックアセンブリ構造は、更に、第二弾性素子(図示しない)を有する。第二弾性素子は、圧力シリンダアクチュエーター２０とドアラッチ３０の間に設置され、たとえば、第二弾性素子は、圧力シリンダアクチュエーター２０とドアラッチ３０を連結する連動ユニット２２に設置される。この構造によると、圧力シリンダアクチュエーター２０が功能を失うとき、第二弾性素子は、ドアラッチ３０を鎖定位置に推動して、ドアラッチ３０は、鎖定功能を発揮し続けることができる。
【００２４】
続いて、もうひとつの実施例において、ドアラッチ３０は、更に、舌片３２と舌片連接素子３４を有する。図４に示されるように、舌片３２と舌片連接素子３４は、たとえば、ねじ５０とナット５２など、少なくともひとつのねじユニットにより連接される。理解できることは、ドアラッチ３０は、結合素子でもよいし、一体成型されてもよいことである。一実施例において、図２に示されるように、連動ユニット２２は、舌片連接素子３４と連結し、図４に示されるように、連動ユニット２２と舌片連接素子３４は、少なくともひとつのねじユニット(たとえば、ねじ６０)により連接される。連動ユニット２２は、螺紋構造を有して、ねじ６０により、舌片連接素子３４と固定される。
【００２５】
図５Ａと図５Ｂは、本考案の一実施例による複合ロックアセンブリ構造の作動を示す図である。一実施例において、図５Ａに示されると、ドアラッチ３０は、圧力シリンダアクチュエーター２０の起動により、突起して、ロック動作が完成する。圧力シリンダアクチュエーター２０の功能が正常である状態下で、圧力シリンダアクチュエーター２０は、ドアラッチ３０を収縮させて、ロック解除の動作を完成させる。理解できることは、圧力シリンダアクチュエーター２０の功能が正常である時、機械的ロック４０は、シリンダー４２により鎖定して、他人が手動でロック解除するのを防止することである。一実施例において、図５Ｂを参照すると、複合ロックアセンブリ構造がロック状態で、ロックアセンブリ中の圧力シリンダアクチュエーター２０が故障、または、停電時、本考案の機械的ロック４０は重要な役割を果たし、本考案の機械的ロック４０はキーをシリンダー４２に挿入して、バッフル４３に阻止功能を解除させ、使用者は、ドアノブ４６を開くか引いて、ドアラッチ３０を連動して作動させ、ロック動作を解除する。
【００２６】
上述に基づくと、本考案による複合式ロックアセンブリ構造の特徴は、圧力シリンダロックアセンブリと機械的ロックの結合で、圧力シリンダアクチュエーターと機械的ロックを、それぞれ、ロックアセンブリ構造外部と内部に設置することにより、本考案に両者の長所を具備させることができる。停電、または、圧力シリンダが故障した時、本考案の複合式ロックアセンブリ構造は、機械的ロックの操作により、開閉の功能を維持することができ、即時に取り外してメンテナンスする必要がなく、また、失効によって危険が生じることもなく、所定のメンテナンス時間によって、ロックアセンブリを取り外して検査すればよい。このほか、圧力シリンダアクチュエーターは、ロックアセンブリ構造の外部に設置され、交換、メンテナンスが非常に便利である。本考案は、効果的に、使用上の安全性と設備の持続運転を維持させることとの全体価値を向上させる。
【００２７】
総合すると、本考案の複合式ロックアセンブリ構造は、メンテナンスが便利で、且つ、圧力シリンダロック解除、および、手動ロック解除機能を有する。
【符号の説明】
【００２８】
１０  本体
１２  開口
２０  圧力シリンダアクチュエーター
２２  連動ユニット
３０  ドアラッチ
３２  舌片
３４  舌片連接素子
４０  機械的ロック
４２  シリンダー
４３  バッフル
４４  第一弾性素子
４６  ドアノブ
４７  ドアノブ連接素子
５０  ねじ
５２  ナット
６０  ねじ
【図１】
0003205567.tif 000003
【図２】
0003205567.tif 000004
【図３】
0003205567.tif 000005
【図４】
0003205567.tif 000006
【図５Ａ】
0003205567.tif 000007
【図５Ｂ】
0003205567.tif 000008
【手続補正書】
【提出日】平成28年5月25日(2016.5.25)
【手続補正１】
【補正対象書類名】実用新案登録請求の範囲
【補正対象項目名】請求項３
【補正方法】変更
【補正の内容】
【請求項３】
前記本体の前記フレーム構造の底部は、少なくとも、開口を設置して、前記ドアノブと前記ドアラッチを作動させることを特徴とする請求項２に記載の複合ロックアセンブリ構造。
【手続補正２】
【補正対象書類名】実用新案登録請求の範囲
【補正対象項目名】請求項１０
【補正方法】変更
【補正の内容】
【請求項１０】
前記ドアノブは、更に、ドアノブ連接素子を有して、前記ドアノブを前記本体上に設置することを特徴とする請求項１から９いずれかの一項に記載の複合ロックアセンブリ構造。